【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
インター予測を用いて画像を符号化するための動き情報候補を導出する符号化装置であって、
符号化対象のブロックが含まれるフレームとは異なるフレームから導出される第１の動き情報候補と、前記符号化対象のブロックが含まれるフレームから導出される第２の動き情報候補とを導出する動き情報候補導出手段と、
前記動き情報候補導出手段によって前記符号化対象のブロックが含まれるフレームから複数の第２の動き情報候補が導出され、その複数の第２の動き情報候補に同一の動き情報候補が含まれる場合、その同一の動き情報候補の内の少なくとも１つを、前記符号化対象のブロックをインター予測を用いて符号化するための動き情報候補から除去する除去処理を実行する除去手段と
を有することを特徴とする符号化装置。
【請求項２】
前記除去手段は、前記第２の動き情報候補を含み、かつ、前記第１の動き情報候補を含まない複数の動き情報候補を対象にして前記除去処理を実行する
ことを特徴とする請求項１記載の符号化装置。
【請求項３】
時間に関する情報を用いて前記第１の動き情報候補をスケーリングするスケーリング手段
を有することを特徴とする請求項１又は２に記載の符号化装置。
【請求項４】
前記スケーリング手段は、前記符号化対象のブロックが含まれるフレームと、前記符号化対象のブロックが含まれるフレームとは異なるフレームとの時間差に基づいて、前記第１の動き情報候補をスケーリングする
ことを特徴とする請求項３記載の符号化装置。
【請求項５】
前記スケーリング手段は、前記第１の動き情報候補によって示される参照フレームと、前記符号化対象のブロックが含まれるフレームとは異なるフレームとの時間差に基づいて、前記第１の動き情報候補をスケーリングする
ことを特徴とする請求項３又は４記載の符号化装置。
【請求項６】
前記符号化対象のブロックをインター予測を用いて符号化するための動き情報候補にゼロ動きベクトルを追加する追加手段
を有することを特徴とする請求項１〜５のいずれか１項に記載の符号化装置。
【請求項７】
前記第２の動き情報候補同士を組み合わせて新たな動き情報候補を生成し、その生成した新たな動き情報候補を、前記符号化対象のブロックをインター予測を用いて符号化するための動き情報候補に追加する追加手段
を有することを特徴とする請求項１〜５のいずれか１項に記載の符号化装置。
【請求項８】
前記第２の動き情報候補にオフセットを加えて新たな動き情報候補を生成し、その生成した新たな動き情報候補を、前記符号化対象のブロックをインター予測を用いて符号化するための動き情報候補に追加する追加手段
を有することを特徴とする請求項１〜５のいずれか１項に記載の符号化装置。
【請求項９】
前記除去手段は、前記除去処理を実行した後に、前記第１の動き情報候補と前記第２の動き情報候補とからなる動き情報群に同一の動き情報候補が含まれる場合、その同一の動き情報候補の内の少なくとも１つを、前記符号化対象のブロックをインター予測を用いて符号化するための動き情報候補から除去する
ことを特徴とする請求項１〜８のいずれか１項に記載の符号化装置。
【請求項１０】
インター予測を用いて符号化された画像を復号するための動き情報候補を導出する復号装置であって、
復号対象のブロックが含まれるフレームとは異なるフレームから導出される第１の動き情報候補と、前記復号対象のブロックが含まれるフレームから導出される第２の動き情報候補とを導出する動き情報候補導出手段と、
前記動き情報候補導出手段によって前記復号対象のブロックが含まれるフレームから複数の第２の動き情報候補が導出され、その複数の第２の動き情報候補に同一の動き情報候補が含まれる場合、その同一の動き情報候補の内の少なくとも１つを、前記復号対象のブロックを復号するための動き情報候補から除去する除去処理を実行する除去手段と
を有することを特徴とする復号装置。
【請求項１１】
前記除去手段は、前記第２の動き情報候補を含み、かつ、前記第１の動き情報候補を含まない複数の動き情報候補を対象にして前記除去処理を実行する
ことを特徴とする請求項１０記載の復号装置。
【請求項１２】
時間に関する情報を用いて前記第１の動き情報候補をスケーリングするスケーリング手段
を有することを特徴とする請求項１０又は１１に記載の復号装置。
【請求項１３】
前記スケーリング手段は、前記復号対象のブロックが含まれるフレームと、前記復号対象のブロックが含まれるフレームとは異なるフレームとの時間差に基づいて、前記第１の動き情報候補をスケーリングする
ことを特徴とする請求項１２記載の復号装置。
【請求項１４】
前記スケーリング手段は、前記第１の動き情報候補によって示される参照フレームと、前記復号対象のブロックが含まれるフレームとは異なるフレームとの時間差に基づいて、前記第１の動き情報候補をスケーリングする
ことを特徴とする請求項１２又は１３記載の復号装置。
【請求項１５】
前記復号対象のブロックを復号するための動き情報候補にゼロ動きベクトルを追加する追加手段
を有することを特徴とする請求項１０〜１４のいずれか１項に記載の復号装置。
【請求項１６】
前記第２の動き情報候補同士を組み合わせて新たな動き情報候補を生成し、その生成した新たな動き情報候補を、前記復号対象のブロックを復号するための動き情報候補に追加する追加手段
を有することを特徴とする請求項１０〜１４のいずれか１項に記載の復号装置。
【請求項１７】
前記第２の動き情報候補にオフセットを加えて新たな動き情報候補を生成し、その生成した新たな動き情報候補を、前記復号対象のブロックを復号するための動き情報候補に追加する追加手段
を有することを特徴とする請求項１０〜１４のいずれか１項に記載の復号装置。
【請求項１８】
前記除去手段は、前記除去処理を実行した後に、前記第１の動き情報候補と前記第２の動き情報候補とからなる動き情報群に同一の動き情報候補が含まれる場合、その同一の動き情報候補の内の少なくとも１つを、前記復号対象のブロックを復号するための動き情報候補から除去する
ことを特徴とする請求項１０〜１７のいずれか１項に記載の復号装置。
【請求項１９】
インター予測を用いて画像を符号化するための動き情報候補を導出する符号化方法であって、
符号化対象のブロックが含まれるフレームとは異なるフレームから導出される第１の動き情報候補と、前記符号化対象のブロックが含まれるフレームから導出される第２の動き情報候補とを導出する動き情報候補導出工程と、
前記動き情報候補導出工程によって前記符号化対象のブロックが含まれるフレームから複数の第２の動き情報候補が導出され、その複数の第２の動き情報候補に同一の動き情報候補が含まれる場合、その同一の動き情報候補の内の少なくとも１つを、前記符号化対象のブロックをインター予測を用いて符号化するための動き情報候補から除去する除去処理を実行する除去工程と
を有することを特徴とする符号化方法。
【請求項２０】
インター予測を用いて符号化された画像を復号するための動き情報候補を導出する復号方法であって、
復号対象のブロックが含まれるフレームとは異なるフレームから導出される第１の動き情報候補と、前記復号対象のブロックが含まれるフレームから導出される第２の動き情報候補とを導出する動き情報候補導出工程と、
前記動き情報候補導出方法によって前記復号対象のブロックが含まれるフレームから複数の第２の動き情報候補が導出され、その複数の第２の動き情報候補に同一の動き情報候補が含まれる場合、その同一の動き情報候補の内の少なくとも１つを、前記復号対象のブロックを復号するための動き情報候補から除去する除去処理を実行する除去工程と
を有することを特徴とする復号方法。
【請求項２１】
請求項１〜９に記載の符号化装置の各手段としてコンピュータを機能させることを特徴とするプログラム。
【請求項２２】
請求項１０〜１８に記載の符号化装置の各手段としてコンピュータを機能させることを特徴とするプログラム。
【手続補正２】
【補正対象書類名】明細書
【補正対象項目名】００４８
【補正方法】変更
【補正の内容】
【００４８】
上記課題を解決するために、本発明の符号化装置は、例えば、下記の構成を有する。即ち、インター予測を用いて画像を符号化するための動き情報候補を導出する符号化装置であって、符号化対象のブロックが含まれるフレームとは異なるフレームから導出される第１の動き情報候補と、前記符号化対象のブロックが含まれるフレームから導出される第２の動き情報候補とを導出する動き情報候補導出手段と、前記動き情報候補導出手段によって前記符号化対象のブロックが含まれるフレームから複数の第２の動き情報候補が導出され、その複数の第２の動き情報候補に同一の動き情報候補が含まれる場合、その同一の動き情報候補の内の少なくとも１つを、前記符号化対象のブロックをインター予測を用いて符号化するための動き情報候補から除去する除去処理を実行する除去手段とを有する。
上記課題を解決するために、本発明の復号装置は、例えば、下記の構成を有する。即ち、インター予測を用いて符号化された画像を復号するための動き情報候補を導出する復号装置であって、復号対象のブロックが含まれるフレームとは異なるフレームから導出される第１の動き情報候補と、前記復号対象のブロックが含まれるフレームから導出される第２の動き情報候補とを導出する動き情報候補導出手段と、前記動き情報候補導出手段によって前記復号対象のブロックが含まれるフレームから複数の第２の動き情報候補が導出され、その複数の第２の動き情報候補に同一の動き情報候補が含まれる場合、その同一の動き情報候補の内の少なくとも１つを、前記復号対象のブロックを復号するための動き情報候補から除去する除去処理を実行する除去手段とを有する
また、本発明の第１の態様によると、少なくとも１つの参照画像部分に対する動き補償による画像の画像部分の符号化または復号のための少なくとも１つの動き情報予測子を導出する方法が提供され、上記画像部分が符号化または復号されるために、この方法は、動き情報予測子の第１のセットの動き情報予測子の少なくとも２つの別個の第１および第２のサブセットを、処理のために提供することと、動き情報予測子の第１のサブセットを処理することと、動き情報予測子の第２のサブセットを処理することであって、動き情報予測子の第２のサブセットの処理の少なくとも一部は、動き情報予測子の第１のサブセットの処理の少なくとも一部と同時に実行されることと、動き情報予測子の第１のサブセットの処理と動き情報予測子の第２のサブセットの処理との結果としてもたらされた動き情報予測に基づいて、参照画像部分から上記画像部分を予測するために使用可能な動き情報予測子の最終セットを得ることとを含む。